(57)【要約】【課題】第一基板から発生する電磁ノイズが配線部材を流れる信号に与える影響を抑制することが可能な表示装置を実現する。【解決手段】第一基板５１に、電磁ノイズの発生源となる電子素子３０が配置されている。電子素子３０を第二基板５２側から覆う導電性のシールド部材６０が設けられている。第一基板５１と第二基板５２とを接続する可撓性の配線部材４０は、シールド部材６０と対向するようにシールド部材６０に対して電子素子３０側とは反対側に配置される対向部４３を有する。対向部４３とシールド部材６０との間に、非導電性のスペーサ７０が配置されている。【選択図】図２
2016118641.tif 000002
【特許請求の範囲】
【請求項１】
画像を表示する表示面を正面に備える表示パネルと、前記表示パネルの背面側に設けられる第一基板と、前記第一基板と間隔を空けるように前記第一基板に対して前記表示パネル側とは反対側に設けられる第二基板と、前記第一基板と前記第二基板とを接続する可撓性の配線部材とを備えた表示装置であって、
前記第一基板に、電磁ノイズの発生源となる電子素子が配置され、
前記電子素子を前記第二基板側から覆う導電性のシールド部材が設けられ、
前記配線部材は、前記シールド部材と対向するように前記シールド部材に対して前記電子素子側とは反対側に配置される対向部を有し、
前記対向部と前記シールド部材との間に、非導電性のスペーサが配置されている表示装置。
【請求項２】
前記第二基板を支持する支持部材が、前記第一基板と間隔を空けて対向するように前記第一基板に対して前記表示パネル側とは反対側に配置される板状部を備え、
前記配線部材における前記対向部を含む部分が、前記第一基板と前記板状部との間において前記第一基板に沿って配置されている請求項１に記載の表示装置。
【請求項３】
前記スペーサは、前記対向部の全体を覆うように前記対向部に固定され、又は、前記シールド部材における前記対向部と対向する領域の全体を覆うように前記シールド部材に固定されている請求項１又は２に記載の表示装置。
【発明の詳細な説明】
【技術分野】
【０００１】
本発明は、画像を表示する表示面を正面に備える表示パネルと、表示パネルの背面側に設けられる第一基板と、第一基板と間隔を空けるように第一基板に対して表示パネル側とは反対側に設けられる第二基板と、第一基板と第二基板とを接続する可撓性の配線部材とを備えた表示装置に関する。
【背景技術】
【０００２】
上記のような表示装置として、特開２００５−１９７４１９号公報（特許文献１）に記載されたものが知られている。以下、この背景技術の欄の説明では、〔〕内に特許文献１における部材名や符号を引用して説明する。特許文献１には、表示パネル〔表示パネル３〕と、第一基板〔パネル回路基板２６〕と、第二基板〔主回路基板２５〕と、配線部材〔フレキシブルケーブル２７〕とを備えた表示装置において、配線部材に断線が生じることや配線部材と第二基板との接続部に不良が生じることを防止するための技術が記載されている。
【先行技術文献】
【特許文献】
【０００３】
【特許文献１】特開２００５−１９７４１９号公報（図２等）
【発明の概要】
【発明が解決しようとする課題】
【０００４】
ところで、特許文献１の図２に示されるように、配線部材における第一基板との接続部側の部分が第一基板に沿うように配置される場合には、配線部材を流れる信号が、第一基板から発生する電磁ノイズ（輻射ノイズ）の影響を受けやすくなる。そして、この影響が大きい場合には、配線部材を流れる信号の品質が劣化して表示装置の機能に影響を及ぼすおそれがある。しかしながら、特許文献１にはこの点に言及した記載はない。
【０００５】
そこで、第一基板から発生する電磁ノイズが配線部材を流れる信号に与える影響を抑制することが可能な表示装置の実現が望まれる。
【課題を解決するための手段】
【０００６】
上記に鑑みた、画像を表示する表示面を正面に備える表示パネルと、前記表示パネルの背面側に設けられる第一基板と、前記第一基板と間隔を空けるように前記第一基板に対して前記表示パネル側とは反対側に設けられる第二基板と、前記第一基板と前記第二基板とを接続する可撓性の配線部材とを備えた表示装置の特徴構成は、前記第一基板に、電磁ノイズの発生源となる電子素子が配置され、前記電子素子を前記第二基板側から覆う導電性のシールド部材が設けられ、前記配線部材は、前記シールド部材と対向するように前記シールド部材に対して前記電子素子側とは反対側に配置される対向部を有し、前記対向部と前記シールド部材との間に、非導電性のスペーサが配置されている点にある。
【０００７】
配線部材は、第一基板と第二基板とを接続する部材であるため、第一基板に対して第二基板側に配置される部分を有する。この点に関し、上記の特徴構成によれば、第一基板に配置された電磁ノイズの発生源である電子素子を第二基板側から覆うように、導電性のシールド部材が設けられる。そのため、第一基板に対して第二基板側に配置される部分を有する配線部材を流れる信号が、当該電磁ノイズの影響を受けることを、シールド部材による遮蔽効果で抑制することができる。その上で、上記の特徴構成によれば、配線部材におけるシールド部材と対向するように配置される部分である対向部と、シールド部材との間に、非導電性のスペーサが配置される。配線部材は可撓性を有するために外力によって変形或いは変位しやすいが、対向部とシールド部材との間にスペーサを介在させることで、シールド部材に対して配線部材が接触することを抑制することができる。この結果、電磁ノイズの遮蔽に伴いシールド部材に誘起される電流やその電流により生じる磁界等によって配線部材を流れる信号の品質が劣化することを抑制することができる。
以上のように、上記の特徴構成によれば、第一基板から発生する電磁ノイズが配線部材を流れる信号に与える影響を、シールド部材とスペーサを設けることで抑制することができる。そして、この結果として、配線部材に要求される電磁ノイズの遮蔽性能を低く抑えることが可能となり、その分だけ装置全体のコストの抑制を図ることもできる。
【図面の簡単な説明】
【０００８】
【図１】本発明の実施形態に係る表示装置の分解斜視図である。
【図２】図１におけるＩＩ−ＩＩ断面図である。
【図３】本発明のその他の実施形態に係る表示装置の分解斜視図である。
【図４】図３におけるＩＶ−ＩＶ断面図である。
【発明を実施するための形態】
【０００９】
本発明に係る表示装置の実施形態について、図面を参照して説明する。図１は、本実施形態に係る表示装置１の分解斜視図である。本実施形態に係る表示装置１は、当該表示装置１の画像表示機能を利用する電子装置（電子機器）１００の一部を構成する。図１には、電子装置１００（電子装置１００の本体部）の外郭を構成するハウジング本体９０を、簡略化して示している。図１において破線矢印で示すように、本実施形態では、電子装置１００は、表示パネル２０が組み付けられた状態のカバー体９１をハウジング本体９０に対して取り付けることで製造される。図２は、カバー体９１がハウジング本体９０に取り付けられた状態での断面図を示している。なお、以下の説明における各部材についての方向は、カバー体９１がハウジング本体９０に取り付けられた状態での方向を表す。また、以下の説明における各部材についての方向や位置等に関する用語は、製造上許容され得る誤差による差異を有する状態を含む概念である。
【００１０】
電子装置１００は、例えば、ユーザに対して地点や経路に関する案内情報を提供する機能（ナビゲーション機能）を有するナビゲーション装置、ユーザに対して音声や映像を提供する機能（オーディオ機能）を有するオーディオ装置、或いはこれらの双方の機能を有する複合装置等とされる。そのため、ハウジング本体９０の内部には、例えば、回路基板として、ナビゲーション機能を実現するための制御基板や、オーディオ機能を実現するための制御基板等が配置される。なお、回路基板には、例えば、ＣＰＵ（Central Processing Unit）等の演算処置装置や、ＲＡＭ（Random Access Memory）やＲＯＭ（Read Only Memory）等の記憶装置が実装される。また、ハウジング本体９０の内部には、例えば、ハードディスクやフラッシュメモリ等の記憶装置や、光ディスクやフラッシュメモリ等の記憶媒体内のデータを読み取ることが可能なドライブ装置等が配置される。また、電子装置１００は、車両に搭載される車載用の電子装置であっても良い。この場合、電子装置１００は、例えば、ハウジング本体９０が車室内の収容空間（例えば、インストルメントパネル、ダッシュボード、コンソール等の内部）に挿入された状態で、車体に固定される。
【００１１】
図１に示すように、表示装置１は、表示パネル２０と、第一制御基板５１と、第二制御基板５２と、第一制御基板５１と第二制御基板５２とを接続する可撓性の配線部材４０とを備えている。制御基板は、制御用の回路部品（ＩＣ等）が実装される回路基板（例えば、プリント基板等）である。すなわち、制御基板は、非導電性（電気的絶縁性）を有する材料（例えば、合成樹脂等）を用いて形成された基板に、各種の制御用回路（例えば、電源制御回路や画像制御回路等）が形成された構成を有する。本実施形態では、第一制御基板５１は、板面に直交する方向（本例では、後述する対向方向Ｚと同方向）に見た場合の外形が矩形状に形成されている。なお、「板面」は、段差部や凹凸部等を除く平面状に形成された部分の表面を意味する。以下では、対向方向Ｚに直交する方向であって、上記矩形の一辺（本例では長辺）に沿う方向を第一方向Ｘとし、対向方向Ｚ及び第一方向Ｘの双方に直交する方向を第二方向Ｙとする。本例では、第二方向Ｙは、上記矩形の短辺に沿う方向となる。本実施形態では、第一制御基板５１が本発明における「第一基板」に相当し、第二制御基板５２が本発明における「第二基板」に相当する。
【００１２】
図２に示すように、表示パネル２０は、画像を表示する表示面２１を正面に備えている。本例では、表示パネル２０は、表示面２１に直交する方向（本例では、対向方向Ｚと同方向）に見た場合の外形が矩形状に形成されている。表示パネル２０は、例えば、液晶ディスプレイパネルや、有機ＥＬ（Electro-Luminescence）ディスプレイパネル等とされる。詳細は省略するが、表示面２１に画像を表示させるための部品として、配線部材や各画素を駆動する画素回路等が表示パネル２０に備えられる。表示パネル２０が透過型や半透過型の液晶ディスプレイパネルである場合には、バックライトも表示パネル２０に備えられる。表示装置１として、入力装置としての機能も有する表示入力装置（例えば、表示面２１がタッチパネルとして機能する表示装置）を用いても良い。
【００１３】
第一制御基板５１は、図１及び図２に示すように、表示パネル２０の背面側に設けられる。第一制御基板５１は、カバー体９１に支持されている。なお、本実施形態では、カバー体９１は、非導電性を有する材料を用いて形成されている。第一制御基板５１は、表示パネル２０の背面（表示面２１とは反対側の面）の少なくとも一部（本例では一部）を覆うように配置されている。本実施形態では、表示パネル２０（表示面２１）と第一制御基板５１とは、互いに平行状に配置されている。
【００１４】
本実施形態では、第一制御基板５１は、表示パネル２０と間隔を空けるように配置されており、第一制御基板５１と表示パネル２０との間に、導電性の第一導電板１１が設けられている。第一制御基板５１は、第一導電板１１に支持されることで、カバー体９１に対して固定されている。具体的には、図２に示すように、第一導電板１１は、背面側（表示パネル２０側とは反対側）に突出するように形成された座部１１ａを有し、第一制御基板５１は、当該座部１１ａに接触した状態で第一導電板１１に対して固定されている。第一制御基板５１は、第一導電板１１の背面の一部を覆うように配置されている。本実施形態では、第一導電板１１と第一制御基板５１とは、互いに平行状に配置されている。第一導電板１１は、後述する第二導電板１２と同様、導電性を有する材料（例えば、銅、アルミニウム、鉄等の金属等）を用いて形成されている。第一導電板１１は、表示パネル２０及び第一制御基板５１の一方が発生する電磁ノイズが他方に与える影響を抑制する電磁シールド板として機能する。
【００１５】
第二制御基板５２は、第一制御基板５１と間隔を空けるように、第一制御基板５１に対して表示パネル２０側とは反対側（第一制御基板５１の背面側）に設けられている。本実施形態では、図２に示すように、第二制御基板５２は、第一制御基板５１と対向するようには配置されていない。具体的には、第二制御基板５２の法線方向（板面に直交する方向）は、第一制御基板５１の法線方向（本例では対向方向Ｚ）に対して直交する方向（本例では第二方向Ｙ）に設定されている。
【００１６】
本実施形態では、第二制御基板５２は、ハウジング本体９０に支持されている。なお、ハウジング本体９０は、導電性を有する材料を用いて形成されている。そして、ハウジング本体９０は、第一制御基板５１と間隔を空けて対向するように、第一制御基板５１に対して表示パネル２０側とは反対側に配置される第二導電板１２を備えている。本実施形態では、第二制御基板５２の全体が、第二導電板１２に対して第一制御基板５１側とは反対側（第二導電板１２の背面側）に配置されている。また、本実施形態では、第一制御基板５１と第二導電板１２とは、互いに対向する側の板面が互いに平行状となるように配置されている。更に、本実施形態では、第二導電板１２は、第一制御基板５１の背面の全域を覆うように配置されている。第二導電板１２は、第一制御基板５１及びハウジング本体９０内の部品（例えば第二制御基板５２）の一方が発生する電磁ノイズが他方に与える影響を抑制する電磁シールド板として機能する。本実施形態では、ハウジング本体９０が本発明における「支持部材」に相当し、第二導電板１２が本発明における「板状部」に相当する。
【００１７】
第一制御基板５１と第二制御基板５２とは、可撓性の配線部材４０によって接続されている。配線部材４０は、第一制御基板５１と第二制御基板５２との間で電気信号を伝送する。本実施形態では、第一制御基板５１は、表示パネル２０の駆動用の制御基板であり、第一制御基板５１には、表示パネル２０を駆動するための回路部品（例えば、ドライバＩＣ等）が実装される。なお、表示パネル２０を駆動するための回路部品として、電源回路（電力変換回路）を構成する回路部品や、画像制御回路を構成する回路部品等が、第一制御基板５１に実装されても良い。第一制御基板５１は、第二制御基板５２から配線部材４０を介して入力される信号に基づいて、表示面２１に表示される画像の描画制御を行う。第二制御基板５２には、例えば、ナビゲーション機能やオーディオ機能等を実現するための回路部品が実装される。この場合、表示面２１には、例えば、地図画像、ナビゲーション装置やオーディオ装置を操作するための操作設定画像等が表示される。
【００１８】
配線部材４０の一端の接続部は、第一制御基板５１に設けられたコネクタに接続され、配線部材４０の他端の接続部は、第二制御基板５２に設けられたコネクタに接続される。本実施形態では、図１及び図２に示すように、第二導電板１２には、第二導電板１２を対向方向Ｚに貫通する開口部１２ａが形成されており、接続部材４０は当該開口部１２ａに通して配置されている。本実施形態では、図１に示すように、配線部材４０として、第一配線部材４１と第二配線部材４２とが備えられている。そして、図２に示すように、第一配線部材４１の一端の接続部は、第一制御基板５１に設けられた第一コネクタ８１に接続され、第一配線部材４１の他端の接続部は、第二制御基板５２に設けられた第二コネクタ８３に接続されている。また、第二配線部材４２の一端の接続部は、第一制御基板５１に設けられた第三コネクタ８２（図１参照）に接続され、第二配線部材４２の他端の接続部は、第二制御基板５２に設けられた第四コネクタ（図示せず）に接続されている。
【００１９】
第一配線部材４１と第二配線部材４２とは、第一方向Ｘの配設位置が異なる点を除いて互いに同様に構成されているため、以下ではこれらを区別することなく説明する。なお、ハウジング本体９０の内部に複数の第二制御基板５２が備えられ、第一配線部材４１と第二配線部材４２とが、第一制御基板５１と、互いに異なる第二制御基板５２とを接続する構成とすることもできる。この場合でも、第一配線部材４１及び第二配線部材４２のそれぞれの第二導電板１２と第一制御基板５１との間に配置される部分の構成は、第一方向Ｘの配設位置が異なる点を除いて互いに同様となる。
【００２０】
本実施形態では、配線部材４０として、フレキシブルフラットケーブルを用いている。すなわち、本実施形態では、配線部材４０は、全体として帯状の外形を有する。また、本実施形態では、配線部材４０は、単に配線として機能する。具体的には、配線部材４０は、幅方向に並べられた複数本の線状導体が、電気的絶縁性の被覆部材で被覆された構成を有する。なお、配線部材４０の延在方向における両端に形成される接続部では、複数本の線状導体のそれぞれの端部が露出している。そして、配線部材４０は可撓性を有するため、第一制御基板５１と第二制御基板５２とを接続している状態の配線部材４０の形状は、配線部材４０に作用する外力（重力を含む）に応じた形状となる。
【００２１】
本実施形態では、図１及び図２に示すように、配線部材４０は、折り返し部４４において、対向方向Ｚに直交する軸（本例では、第一方向Ｘに平行な軸）の周りに屈曲した形状を有する。そして、配線部材４０における折り返し部４４から第一制御基板５１との接続部側に向かう部分は、配線部材４０における折り返し部４４から第二制御基板５２との接続部側に向かう部分に対して、第一制御基板５１側から重なるように配置されている。そして、配線部材４０における折り返し部４４から第一制御基板５１との接続部側に向かう部分には、第一制御基板５１に沿って配置される部分が含まれる。ここで、部材の配置について「基板に沿って配置」とは、当該部材の延在方向が当該基板の板面に平行な配置に限らず、当該部材の延在方向が当該基板の板面に対して予め定められた角度範囲内（例えば、１０°以下の範囲や２０°以下の範囲等）で交差する向きとなる配置も含む概念として用いている。
【００２２】
上記のように、配線部材４０は第一制御基板５１に沿って配置される部分を有するため、第一制御基板５１から発生する電磁ノイズが配線部材４０を流れる信号に与える影響を適切に抑制する必要がある。以下に説明するように、本実施形態に係る表示装置１では、図１及び図２に示すような導電性のシールド部材６０と非導電性のスペーサ７０とを設けることで、第一制御基板５１から発生する電磁ノイズが配線部材４０を流れる信号に与える影響を抑制している。
【００２３】
図２に示すように、第一制御基板５１には電磁ノイズの発生源となる電子素子３０が配置されており、シールド部材６０は、第一制御基板５１に配置された電子素子３０を第二制御基板５２側から覆うように配置されている。すなわち、シールド部材６０は、第一制御基板５１に直交する方向に沿って第二制御基板５２側から見て、電子素子３０と完全に重複するように配置される。なお、シールド部材６０は、導電性を有する材料を用いて形成されている。本実施形態では、シールド部材６０は、第一制御基板５１と第二導電板１２との間に配置されている。ここで、電子素子３０は、仮にシールド部材６０を設けなかった場合に、表示装置１の機能に影響を及ぼす程度（例えば、表示装置１の誤作動を引き起こす程度等）の影響を、配線部材４０を流れる信号に与える電磁ノイズ源である。電子素子３０は、例えば、スイッチング素子、リアクトル、トランス等の回路素子（回路部品）とされる。また、電子素子３０は、例えば、電源回路（電力変換回路）や画像制御回路等を構成する回路素子（回路部品）とされる。なお、電磁ノイズの発生源となる電子素子３０が第一制御基板５１に複数配置される場合には、当該複数の電子素子３０の全てを覆うようにシールド部材６０を設け、或いは、単数又は複数の電子素子３０をそれぞれ覆うシールド部材６０を複数設けると良い。
【００２４】
本実施形態では、電子素子３０は、第一制御基板５１における第二制御基板５２側（第二導電板１２側）の面（素子配置面）に配置されており、シールド部材６０は、当該素子配置面側から電子素子３０を覆うように配置されている。本実施形態では、シールド部材６０は、電子素子３０に対して第一制御基板５１側とは反対側において第一制御基板５１と平行状に配置される平板状の頂壁部と、当該頂壁部の周縁部から第一制御基板５１側に向かって延びる周壁部とを備えている。本例では、周壁部は、頂壁部の周縁部の全周に亘って連続的に形成されている。また、本実施形態では、シールド部材６０は、第一制御基板５１に固定されている。具体的には、シールド部材６０の上記周壁部が、第一制御基板５１に固定されている。本実施形態では、電子素子３０が発生する電磁ノイズに起因するエネルギを適切に拡散させるべく、シールド部材６０は接地されている。なお、「接地」は、当然ながら、大地以外（例えば車体）を電位の基準とする場合も含む概念として用いている。詳細な説明は省略するが、本実施形態では、シールド部材６０は、第一制御基板５１及び第一導電板１１を介して、電子装置１００のグランドとして機能するハウジング本体９０（例えば、ハウジング本体９０の第二導電板１２）に電気的に接続されている。
【００２５】
配線部材４０は、シールド部材６０と対向するようにシールド部材６０に対して電子素子３０側とは反対側に配置される対向部４３（対向面）を有している。対向部４３は、シールド部材６０に対して第二制御基板５２側（第二導電板１２側）から、シールド部材６０と対向するように配置されている。上述した対向方向Ｚは、対向部４３とシールド部材６０とが対向する方向である。対向部４３は、配線部材４０における対向方向Ｚに沿って見てシールド部材６０（本例では、上記の頂壁部）と重複する部分である。本実施形態では、対向部４３は平面状に形成されている。本実施形態では、図２に示すように、配線部材４０における対向部４３を含む部分が、第一制御基板５１と第二導電板１２との間において第一制御基板５１に沿って配置されている。
【００２６】
そして、対向部４３とシールド部材６０との間に、非導電性のスペーサ７０が配置されている。スペーサ７０は、非導電性（電気的絶縁性）を有する材料を用いて形成される。本実施形態では、スペーサ７０は、非導電性に加えて弾性（クッション性）を有する材料（例えば、ウレタン等の合成樹脂等）を用いて形成されている。本実施形態では、スペーサ７０は、シート状に形成されている。例えば、ウレタンシート（ウレタンフォーム）等の合成樹脂製シートを、スペーサ７０として用いることができる。なお、スペーサ７０の弾性の程度は、配線部材４０に作用する復元力によってスペーサ７０が配線部材４０（対向部４３）とシールド部材６０とにより圧縮された場合でも、対向部４３とシールド部材６０との離間距離を適切に確保できる程度であり、且つ、配線部材４０の柔軟な変形を過度に阻害しない程度に設定される。なお、スペーサ７０が、弾性を有さない材料を用いて形成される構成とすることも可能である。
【００２７】
本実施形態では、図１及び図２に示すように、スペーサ７０は、対向部４３の全体を覆うように対向部４３に固定されている。具体的には、スペーサ７０は、対向部４３の全域に亘って連続的に配置されている。なお、スペーサ７０の寸法を、寸法公差や取付位置の公差を考慮して、スペーサ７０の寸法や取付位置に公差の範囲内のずれがあった場合でも対向部４３の全体がスペーサ７０によって覆われるような寸法に設定すると好適である。また、スペーサ７０の寸法を、寸法公差や取付位置の公差を考慮して、スペーサ７０の寸法や取付位置に公差の範囲内のずれがあった場合でもスペーサ７０が配線部材４０からはみ出さないような寸法に設定すると好適である。この場合、対向部４３の縁部が配線部材４０の縁部を構成する場合には、スペーサ７０の寸法が公差に応じた分だけ対向部４３の寸法よりも小さくなり得る。本明細書では、このようにスペーサ７０の寸法が公差に応じた分だけ対向部４３の寸法よりも小さい場合も、対向部４３の全体がスペーサ７０によって覆われているという概念に含める。本実施形態では、図２に示すように、スペーサ７０は、配線部材４０における対向部４３の周辺部も覆うように、配線部材４０に固定されている。
【００２８】
詳細な説明は省略するが、配線部材４０の可撓性を利用して、配線部材４０によって第一制御基板５１と第二制御基板５２とが接続された状態で、表示パネル２０、第一導電板１１、及び第一制御基板５１が組み付けられた状態のカバー体９１を、第二制御基板５２が組み付けられた状態のハウジング本体９０に対して図１に破線矢印で示すように取り付けることで、本実施形態に係る表示装置１を製造することができる。
【００２９】
〔その他の実施形態〕
最後に、本発明に係るその他の実施形態について説明する。なお、以下のそれぞれの実施形態で開示される構成は、矛盾が生じない限り、他の実施形態で開示される構成と組み合わせて適用することも可能である。
【００３０】
（１）上記の実施形態では、スペーサ７０が、対向部４３の全体を覆うように対向部４３に固定される構成を例として説明した。しかし、本発明の実施形態はこれに限定されず、例えば、図３及び図４に示す例のように、スペーサ７０が、シールド部材６０における対向部４３と対向する領域（以下、「対向領域」という。）の全体を覆うように、シールド部材６０に固定される構成とすることもできる。なお、図３及び図４に示す例でも、上記実施形態の例と同様に、シールド部材６０は、電子素子３０に対して第一制御基板５１側とは反対側において第一制御基板５１と平行状に配置される平板状の頂壁部と、当該頂壁部の周縁部から第一制御基板５１側に向かって延びる周壁部とを備えている。そして、シールド部材６０における対向領域は上記頂壁部に形成されている。図３及び図４に示す例では、スペーサ７０の取付位置に公差の範囲内のずれがあった場合でもスペーサ７０がシールド部材６０（上記頂壁部）からはみ出さないように、スペーサ７０の第二方向Ｙの寸法が、シールド部材６０における対向領域の第二方向Ｙの寸法よりも小さく設定されている。本明細書では、このように、スペーサ７０の寸法が公差に応じた分だけシールド部材６０における対向領域よりも小さい場合も、当該対向領域の全体がスペーサ７０によって覆われているという概念に含める。
【００３１】
（２）上記の実施形態では、スペーサ７０が、対向部４３の全域に亘って連続的に配置される構成を例として説明した。しかし、本発明の実施形態はこれに限定されず、対向方向Ｚに直交する少なくともいずれかの方向において、複数のスペーサが離散的に設けられる構成とすることも可能である。この場合であっても、対向部４３の全域に亘って、或いは、図３及び図４に示す例について上述したシールド部材６０における対向領域の全域に亘って、複数のスペーサを設けると好適である。
【００３２】
（３）上記の実施形態では、シールド部材６０によって第二制御基板５２側から覆われる電子素子３０が、第一制御基板５１における第二制御基板５２側の面に配置される構成を例として説明した。しかし、本発明の実施形態はこれに限定されず、シールド部材６０によって第二制御基板５２側から覆われる電子素子３０が、第一制御基板５１における第二制御基板５２側とは反対側の面（表示パネル２０側の面）に配置される構成とすることもできる。すなわち、この場合には、電子素子３０は、シールド部材６０に加えて第一制御基板５１によって、第二制御基板５２側から覆われる。
【００３３】
（４）上記の実施形態では、配線部材４０がフレキシブルフラットケーブルである構成を例として説明した。しかし、本発明の実施形態はこれに限定されず、可撓性の配線部材４０として、可撓性を有するプリント基板（フレキシブルプリント基板）を用いることも可能である。この場合、上記実施形態の例とは異なり、配線部材４０は、配線としての機能に加えて回路基板としての機能も有する。
【００３４】
（５）上記の実施形態では、第一基板及び第二基板の双方が制御基板である構成を例として説明した。しかし、本発明の実施形態はこれに限定されず、第一基板及び第二基板の一方又は双方が、信号の中継機能のみを有する中継基板であっても良い。
【００３５】
（６）その他の構成に関しても、本明細書において開示された実施形態は全ての点で単なる例示に過ぎないと理解されるべきである。従って、当業者は、本開示の趣旨を逸脱しない範囲で、適宜、種々の改変を行うことが可能である。
【００３６】
〔本発明の実施形態の概要〕
以上で説明した本発明の実施形態は、少なくとも以下の構成を備えている。
画像を表示する表示面（２１）を正面に備える表示パネル（２０）と、前記表示パネル（２０）の背面側に設けられる第一基板（５１）と、前記第一基板（５１）と間隔を空けるように前記第一基板（５１）に対して前記表示パネル（２０）側とは反対側に設けられる第二基板（５２）と、前記第一基板（５１）と前記第二基板（５２）とを接続する可撓性の配線部材（４０）とを備えた表示装置（１）であって、前記第一基板（５１）に、電磁ノイズの発生源となる電子素子（３０）が配置され、前記電子素子（３０）を前記第二基板（５２）側から覆う導電性のシールド部材（６０）が設けられ、前記配線部材（４０）は、前記シールド部材（６０）と対向するように前記シールド部材（６０）に対して前記電子素子（３０）側とは反対側に配置される対向部（４３）を有し、前記対向部（４３）と前記シールド部材（６０）との間に、非導電性のスペーサ（７０）が配置されている。
【００３７】
配線部材は、第一基板と第二基板とを接続する部材であるため、第一基板に対して第二基板側に配置される部分を有する。この点に関し、上記の構成によれば、第一基板に配置された電磁ノイズの発生源である電子素子を第二基板側から覆うように、導電性のシールド部材が設けられる。そのため、第一基板に対して第二基板側に配置される部分を有する配線部材を流れる信号が、当該電磁ノイズの影響を受けることを、シールド部材による遮蔽効果で抑制することができる。その上で、上記の構成によれば、配線部材におけるシールド部材と対向するように配置される部分である対向部と、シールド部材との間に、非導電性のスペーサが配置される。配線部材は可撓性を有するために外力によって変形或いは変位しやすいが、対向部とシールド部材との間にスペーサを介在させることで、シールド部材に対して配線部材が接触することを抑制することができる。この結果、電磁ノイズの遮蔽に伴いシールド部材に誘起される電流やその電流により生じる磁界等によって配線部材を流れる信号の品質が劣化することを抑制することができる。
以上のように、上記の構成によれば、第一基板から発生する電磁ノイズが配線部材を流れる信号に与える影響を、シールド部材とスペーサを設けることで抑制することができる。そして、この結果として、配線部材に要求される電磁ノイズの遮蔽性能を低く抑えることが可能となり、その分だけ装置全体のコストの抑制を図ることもできる。
【００３８】
また、本発明の実施形態は、前記第二基板（５２）を支持する支持部材（９０）が、前記第一基板（５１）と間隔を空けて対向するように前記第一基板（５１）に対して前記表示パネル（２０）側とは反対側に配置される板状部（１２）を備え、前記配線部材（４０）における前記対向部（４３）を含む部分が、前記第一基板（５１）と前記板状部（１２）との間において前記第一基板（５１）に沿って配置されていると好適である。
【００３９】
この構成によれば、配線部材における対向部を含む部分が第一基板に沿わずに配置される場合に比べて、配線部材と電磁ノイズの発生源である電子素子との離間距離が短くなりやすい。この点に関し、上記の通り、第一基板から発生する電磁ノイズが配線部材を流れる信号に与える影響は、シールド部材とスペーサを設けることで抑制されるため、当該影響を小さく抑えつつ配線部材における対向部を含む部分を第一基板に沿って配置することができる。そして、この結果、第一基板と板状部との間隔を短く抑えて、第一基板に直交する方向における装置全体の小型化を図ることもできる。
【００４０】
また、本発明の実施形態は、前記スペーサ（７０）は、前記対向部（４３）の全体を覆うように前記対向部（４３）に固定され、又は、前記シールド部材（６０）における前記対向部（４３）と対向する領域の全体を覆うように前記シールド部材（６０）に固定されていると好適である。
【００４１】
この構成によれば、対向部とシールド部材との間にスペーサが連続的に設けられるため、シールド部材に対して配線部材が接触することをより一層抑制することができる。また、スペーサが配線部材の対向部又はシールド部材に固定されるため、スペーサを支持するためだけの部材を別途設けることなく、表示装置に既存の部材を利用してスペーサを配置することができるという利点もある。
【産業上の利用可能性】
【００４２】
本発明は、画像を表示する表示面を正面に備える表示パネルと、表示パネルの背面側に設けられる第一基板と、第一基板と間隔を空けるように第一基板に対して表示パネル側とは反対側に設けられる第二基板と、第一基板と第二基板とを接続する可撓性の配線部材とを備えた表示装置に利用することができる。
【符号の説明】
【００４３】
１：表示装置
１２：第二導電板（板状部）
２０：表示パネル
２１：表示面
３０：電子素子
４０：配線部材
４３：対向部
５１：第一制御基板（第一基板）
５２：第二制御基板（第二基板）
６０：シールド部材
７０：スペーサ
９０：ハウジング本体（支持部材）
【図１】
2016118641.tif 000003
【図２】
2016118641.tif 000004
【図３】
2016118641.tif 000005
【図４】
2016118641.tif 000006